(57)【特許請求の範囲】
【請求項１】
管状またはワイヤ形状の金属性コアと射出成形可能な絶縁性材料からなり少なくとも部分的に前記コアを包むジャケットとからなるアンテナユニットを前記コアの長手方向に延びる中心軸を含む型割面で分かれる射出成形金型を用いて製造する方法において、前記絶縁性ジャケットが少なくとも２段階からなる射出成形によって形成され、第１工程においてコアに実質的に半円筒状の第１ジャケット部が設けられ、コアの残りの部分はコアの形状に対応した第１の金型凹部の内側で支持され、その後射出成形機の少なくとも１部が前記第１ジャケット部が設けられたコアに対して移動し、この移動によりコアが第１ジャケット部を有するこのコアに適した形状の第２の金型凹部の内側で支持され、その後第２の工程においてコアのジャケット部が設けられていない部分に、前記第１ジャケット部に対応した実質的に半円筒形状の第２ジャケット部が設けられており、前記第２のジャケット部は、第１のジャケット部より短い軸方向の長さを有することを特徴とするアンテナユニットの製造方法。
【請求項２】
前記第１の工程の後、第１のジャケット部を有するコアが、少なくとも第１のジャケット部の長さに対応する距離を軸方向に移動することを特徴とする請求項１記載の方法。
【請求項３】
前記第１のジャケットが、前記型割面に位置する側部（１６）とジャケットの軸に直交する端部壁（１７Ａ，１７Ｂ）からなる実質的に均一な厚さを有し、前記第２のジャケット部が前記型割面に位置する側部とジャケットの軸に直交する端部壁からなる実質的に均一な厚さを有することを特徴とする請求項１または２記載の方法。
【請求項４】
第３の射出成形工程中、アンテナユニットに前記コアの上方端部の周囲に位置する金型凹部内に位置し、少なくともコアの端部と第１のジャケット部と接触するノブ（２０）が設けられていることを特徴とする請求項１乃至３いずれか１項に記載の方法。
【請求項５】
第３の工程中の射出成形が、射出される材料に特定の回転と乱れが生じるように前記金型凹部内に半径方向と軸方向に射出することによって行われることを特徴とする請求項４記載の方法。
【請求項６】
前記第１及びまたは第２の工程中にノブ（２０）がアンテナユニットに設けられることを特徴とする請求項１乃至３いずれか１項に記載の方法。
【請求項７】
前記第１工程後、前記射出成形金型の可動部分が、その固定部分に対して半回転し、第１ジャケット部を有するコアが前記固定部分に位置する第１の金型凹部から同じく前記固定部分に位置する前記第２ジャケット部に対応する金型凹部へと移動し、第１のジャケット部の射出成形用の金型凹部が前記可動部分に位置し、前記第２工程中前記金型凹部を構成することを特徴とする請求項１記載の方法。
【請求項８】
前記第１及び第２工程が、同時に前記射出成形金型の２つの対向する部分で行われることを特徴とする請求項７記載の方法。
【請求項９】
いくつかのアンテナユニットが同時に前記２つの対向する部分で製造されることを特徴とする請求項７または８記載の方法。
【請求項１０】
前記可動部分の各回転及び完成品を送り出した後、コアを構成する１つ以上のワイヤブランクが前記固定部分に挿入されることを特徴とする請求項７乃至９いずれか１項に記載の方法。
【請求項１１】
管状またはワイヤ形状の金属性コアと射出成形可能な絶縁性材料からなり少なくとも部分的に前記コアを包むジャケットとからなるアンテナユニットを前記コアの長手方向に延びる中心軸を含む型割面において分かれる射出成形金型で利用される請求項１記載の製造する方法に使用される射出成形装置において、２つの別個の第１及び第２の金型凹部が設けられており、前記第１金型凹部内ではでコアに半円筒状の第１のジャケット部（１５）が射出成形によって設けられ、コアの残りの部分がコアの形状に対応した金型凹部（１１Ｂ）で支持される第１工程が行われ、前記第金型凹部から距離をおいて位置する第２の金型凹部では第１のジャケット部を有するコアを支持するために設けられた金型凹部（１９）でコアを支持しながらコアのジャケット部が設けられていない部分に第１のジャケット部に対応した半円筒形状の第２のジャケット部（１８）が設けられる第２工程が行われることを特徴とする装置。
【請求項１２】
コアにノブ（２０）を形成するためにコアの一端を受けるための別個の金型凹部を有することを特徴とする請求項１１記載の装置。
【請求項１３】
第３の射出工程中に前記別個の金型凹部が少なくともコアの外方端部と前記ジャケット部と接触することを特徴とする請求項１２記載の装置。
【請求項１４】
コアの一端に少なくともノブの一部を形成するための別個の金型凹部が前記第１金型凹部と接続していることを特徴とする請求項１１記載の装置。
【請求項１５】
ディュアルアンテナを形成するために前記コアに対して平行に延びる別個のコア状にジャケットを射出成形するための同じ前記金型分割面で前記金型凹部に平行で且つ距離をおいて延びる少なくとも１つ以上の金型凹部を有することを特徴とする請求項１１乃至１４いずれか１項に記載の装置。
【請求項１６】
請求項１乃至１０のいずれか１項に記載の方法で製せられるアンテナユニット。
【発明の詳細な説明】
【０００１】
本発明は、アンテナユニット、特に移動電話用のアンテナユニットの製造方法及びその装置に関する。本発明はまたこの方法によって製せられるアンテナユニットに関する。
【０００２】
移動電話用のアンテナユニットは、通常中央に位置する好ましくは弾性を有する金属製の断面が円形のワイヤまたは管状のコアとこの弾性コアを包むジャケットとからなり、このジャケットは適した熱可塑性材料、好ましくは流動性樹脂からなり、主にアンテナの見栄えをよくするために設けられている。
【０００３】
弾性コアを導入する際に、管状のジャケットの製造前にあるいは製造時、例えば射出成形時に金属製コアをこのジャケットの中心に最も良好に且つ確実に据えるための試みがなされている。これらの作業は、非常に面倒で、またこの作業では中心に据えるのはかなり困難である。従って、金属製の弾性コアは中心から極端にずれてしまったり、ジャケット内で曲がった状態で収納される場合がある。
【０００４】
本発明の目的は、アンテナユニットの製造方法及びこの方法で使用される装置を提供することであり、この方法は容易に且つ迅速に実施され、さらにアンテナユニットの製造時に金属製コアを確実に中心位置に収めることができる。この方法は、管状またはワイヤ状であって好ましくは弾性を有するコアとこのコアを完全にまたは部分的に囲む射出成形可能な材料から製せられるジャケットからなるアンテナユニットを製するためのものである。本発明の装置は、射出成形に使用するためのもので、この装置はコアを介して延びる長手方向の中心軸からなる型割面において分かれる。本発明の方法は、ジャケットが少なくとも２段階の射出工程を経て形成され、第1の段階でコアに実質的に半筒状の管状に形成された第１のジャケット部が設けられ、コアの残りの部分はコアの形状に対応して設けられた第１の金型の凹部で支持され、その際射出成形された第１のジャケット部を支持するために形成された金型の凹部に支持されるように、射出成形装置の少なくとも一部が第１の射出成形されたジャケット部を有するコアに対して移動することを特徴としている。その後、未だ裸のコア部分には、第２段階で第２のジャケット部が設けられ、この第２のジャケット部は第１のジャケット部を補足する形状を有し、実質的に管状の半円筒形状を有している。
【０００５】
本発明では、射出材料に特定の回転及び乱れが生じるように好ましくは半径方向及び軸方向への射出によって得られるアンテナユニットにはコアの上端部周囲の別個の金型凹部内に位置し且つ少なくとも第１の射出されたジャケット部と密に接触するノブが設けられている。上記の装置の仕様を若干変更するだけで装置の上記型割面においてある程度の距離をおいて平行に並んで配された２つのコアを含むアンテナユニットを製造することも可能である。この場合、好ましくは一方のコアは他方のコアより幾分短く、これにより一般の周波数インターバルに対応するようになる。
【０００６】
またさらに装置の使用を変更した後、同じような方法でロッド（伸縮自在）式アンテナを製することも可能である。
【０００７】
本発明によるアンテナユニットを製造するための装置（金型）の２つの態様を例示する添付図面を参照し本発明をより具体的に説明する。
【０００８】
図１に示す態様では、弾性を有する材料、例えばニッケル−チタニウム合金からなり０．９ｍｍの外径を有するコアワイヤ１０が、対をなす金型１２，１３の間で符号１１で示す第１の金型凹部に導入される。この第１金型凹部１１は、好適なプラスチック材をチャネル１４を介して金型１２の第１部分１１ａ内に射出することによってコアワイヤ１０に実質的に均一な厚さの管状の半円筒状に形成された第１ジャケット部１５を設けることができるように設計されており、この第１ジャケット部１５は金型の型割面Ｄに対して平行な側面１６とコアワイヤの軸に対して横方向に位置する端壁部面１７Ａ，１７Ｂを有する。
【０００９】
この時点で、コアワイヤはその半分が下方に位置する金型１３の溝１１Ｂに支持される。
【００１０】
図２に示す態様において、コアワイヤはその後少なくとも第１ジャケット部１５の長さに対応した軸方向の距離分移動し、その際コアワイヤにプラスチック材の射出によって第２のジャケット部１８が設けられ、第１のジャケット部１５とそれに包囲されたコアワイヤは上方金型１２の第１ジャケット部に対応した金型凹部内で支持される。従ってコア部分１５，１９は実質的に同一形状になる。しかしながら、図２に示すように第２ジャケット部は、その軸方向の長さにおいて第１のジャケット部より短いのが好ましい。
【００１１】
第１の射出工程において、アンテナユニットの位置はコアワイヤの半分がその溝で案内されることによって制御され、第２の射出工程中、アンテナユニットの位置は第１ジャケット部とこれに包囲されるコアワイヤを上方金型１２に形成された溝に案内することによって制御される。
【００１２】
必要であれば、図３に示すように最後の工程としてアンテナユニットに適した形状の保護ノブを、好ましくはプラスチック材に好ましい回転運動及び乱流が生じるように軸方向及び半径方向にプラスチック材を射出する間に設けてもよい。
【００１３】
第２の射出工程の完了後、例示したノブを射出形成するための金型を閉じる際にコアワイヤを例えば図３に示す面Kで切断されることは当業者にはよく知られていることである。
【００１４】
図４乃至６に示す態様において、ワイヤブランクが固定金型部（図４）に挿入され、手段２１によって切断される。好ましくは支持タブを保持しながらワイヤブランクの半分が、プラスチック材を射出することによって覆われる。そして可動金型部（図５）が軸２２を中心に半回転し、その際切断されたワイヤブランクのもう一方の半分が完成品になるまで射出されたプラスチック材で覆われる。同時に新しく導入されたワイヤブランクの半分が射出されたプラスチック材で覆われる。各射出工程後、完成品となったアンテナユニットは装置から取り出される。
【００１５】
図４に示すように各回毎に４本のワイヤが、装置の固定部分内に導入され、装置が閉じ、ワイヤが切断される。その後、ワイヤの表面の半分とノブのコアとなる部分の一部が、射出されたプラスチック材によって覆われる。
【００１６】
金型はその可動部によって開かれ、半完成品のアンテナユニットが持ち上げられる。その後、可動部分が回転し、この可動部分と共に半完成品のアンテナユニットを固定部分の反対の部分（図４の左側）へと移動し、同時に新しいワイヤが金型の固定部分（図４の右側）に導入される。その後、金型は閉じ、半完成品の部分が金型凹部に維持され、これら金型はジャケット部とそれに包囲されたコアを安全に固定する役割を果たす。その後、第２のジャケット部とノブの残りの部分は、図６に示すように射出されるプラスチック材で覆われる。
【図面の簡単な説明】
【図１】  第１の態様によるアンテナユニットを製造する際の第１の工程を示す。
【図２】  第１の態様によるアンテナユニットを製造する際の第２の工程を示す。
【図３】  第１の態様によるアンテナユニットを製造する際の第３の工程を示す。
【図４】
【図５】
【図６】  工具が固定及び回転部分と共に使用される第２の態様を示す。
【図１】
0004061024.tif 000002
【図２】
0004061024.tif 000003
【図３】
0004061024.tif 000004
【図４】
0004061024.tif 000005
【図５】
0004061024.tif 000006
【図６】
0004061024.tif 000007